(57)【要約】【課題】違法な盗撮を確実に防止するとともに、撮影環境に応じたレベルの撮影機能等の規制を可能とする。【解決手段】カメラ機能付き携帯電話機の撮影等の機能を停止させる制御信号を送信する信号送信装置と、前記制御信号に基づいて表示又は撮影動作が制御されるカメラ機能付き携帯電話機とからなり、前記信号送信装置は、規制レベルに応じた撮影、保存、送信、表示等を規制するそれぞれに対応する制御信号を送信可能であり、前記カメラ機能付き携帯電話機は、前記複数の制御信号のそれぞれの受信により、それぞれに応じて、撮影、保存、送信、表示等の動作が規制される。【選択図】        図１
2004153324.tif 000002
【特許請求の範囲】
【請求項１】
制御信号を送信する信号送信装置と、前記制御信号の受信により動作が制御されるカメラ機能付き携帯電話機とからなるカメラ機能付き携帯電話機の盗撮防止システムであって、
前記信号送信装置は、規制レベルに応じた複数の異なる制御信号を送信可能であり、前記カメラ機能付き携帯電話機は、前記複数の異なる制御信号の受信により、それぞれの制御信号に応じて、当該制御信号が受信されるエリアでの撮影データの送信、撮影データの保存、カメラモジュールによる撮影及び撮影データの表示の機能が規制されることを特徴とするカメラ機能付き携帯電話機の盗撮防止システム。
【請求項２】
前記信号送信装置は、複数の制御信号の選択設定又は時間的なプログラム設定が可能であることを特徴とする請求項１記載のカメラ機能付き携帯電話機の盗撮防止システム。
【請求項３】
規制レベルに応じた前記制御信号により、撮影データの送信、撮影データの保存、カメラモジュールによる撮影及び撮影データの表示の順に機能を停止することを特徴とする請求項１又は２記載のカメラ機能付き携帯電話機の盗撮防止システム。
【請求項４】
前記カメラ機能付き携帯電話機は、撮影データの表示画像に規制内容を合成することを特徴とする請求項１、２又は３記載のカメラ機能付き携帯電話機の盗撮防止システム。
【請求項５】
制御信号の受信時に撮影に関する機能が規制されるカメラ機能付き携帯電話機であって、
カメラモジュールと、表示部と、制御信号の種類に応じて撮影データの送信、撮影データの保存、カメラモジュールによる撮影、撮影データの表示部への表示の何れかの機能が規制されることを特徴とするカメラ機能付き携帯電話機。
【請求項６】
前記制御信号の規制レベルにより、撮影データの送信、撮影データの保存、カメラモジュールによる撮影及び撮影データの表示の順に機能を停止することを特徴とする請求項５記載のカメラ機能付き携帯電話機。
【請求項７】
規制内容のメッセージのデータを生成する処理部と、画像を合成するグラフィック処理部と、を備え、撮影データの表示部への表示画像に規制内容を合成することを特徴とする請求項５又は６記載のカメラ機能付き携帯電話機。
【請求項８】
信号送信装置から送信される制御信号に基づいて動作が制御されるカメラ機能付き携帯電話機の盗撮防止方法であって、
前記信号送信装置は、規制レベルに応じた複数の異なる制御信号を送信可能とし、前記カメラ機能付き携帯電話機は、前記複数の異なる制御信号の受信により、それぞれの制御信号に応じて、当該制御信号の受信により撮影データの送信、撮影データの保存、カメラモジュールによる撮影及び撮影データの表示の機能が規制されることを特徴とするカメラ機能付き携帯電話機の盗撮防止方法。
【請求項９】
前記信号送信装置から送信される複数の制御信号は、時間的に切り換えて送信されることを特徴とする請求項８記載のカメラ機能付き携帯電話機による盗撮防止方法。
【請求項１０】
規制レベルに応じた前記制御信号により、撮影データの送信、撮影データの保存、カメラモジュールによる撮影及び撮影データの表示の順に機能を停止することを特徴とする請求項８又は９記載のカメラ機能付き携帯電話機の盗撮防止方法。
【請求項１１】
前記カメラ機能付き携帯電話機は、撮影データの表示画像に規制内容を合成することを特徴とする請求項８、９又は１０記載のカメラ機能付き携帯電話機の盗撮防止方法。
【発明の詳細な説明】
【０００１】
【発明が属する技術分野】
本発明は、カメラ機能付き携帯電話機に関し、特に、カメラ機能付き携帯電話機の使用エリアによりカメラ機能を規制するようにしたカメラ機能付き携帯電話機の盗撮防止システム、カメラ機能付き携帯電話機及び盗撮防止方法に関する。
【０００２】
【従来の技術】
最近カメラ機能付き携帯電話機が一般ユーザーに受け入れられてきており、今後ますます使用者の増加が予想される状況にある。ところがこれに相応して、好ましくない場所、禁止されている場所での撮影及び撮影データの送信等が行われたり、盗撮等の犯罪も増加してきている。このような行為の防止策として、例えば、カメラ機能付き携帯電話機に撮影時の撮影表示用のＬＥＤ等の点灯や、撮影時の撮影音の鳴動等を行うように構成し、周囲に撮影動作を表示することが提案されている。しかし、かかる方法では盗撮時等に撮影表示用のＬＥＤを隠すことが可能であり、また撮影表示音は騒々しい環境では音が聞こえにくいといったこともあり、充分な効果が得られず、また、一律な撮影表示は適切でない場合があるという難点がある。
【０００３】
また、所定の場所、領域、対象物等の撮影を禁止するために、撮影禁止信号送信装置により、周辺に電波等の撮影禁止信号を送信しておき、一方、カメラ機能を有する携帯電話機には、前記撮影禁止信号の到来を監視する機能を設け、前記撮影禁止信号が到来しているときには撮影などを禁止し、表示部に撮影禁止の表示が成されるように構成した映像取得制限システムが知られている（特許文献１参照）。
【０００４】
更に、盗撮行為を防止するために、盗撮の対象となる被写体は盗撮防止情報発生装置を装着し、カメラセンサ付き無線通信端末等の撮像装置は撮像した画像信号を処理し、前記画像信号に盗撮防止情報が含まれることを検出したときに、カメラセンサ又はデジタル信号処理部の電源をオフする制御を行い、前記画像信号の出力を停止させるものも知られている（特許文献２参照）。
【０００５】
【特許文献１】
特開２０００−１５２２１７号公報
【特許文献２】
特開２００１−１６９１７５号公報
【０００６】
【発明が解決しようとする課題】
前述のように撮影禁止場所等に撮影を防止するための信号の発信機等を設置し、撮影機器自体が前記信号を検出して自動的に撮影動作を停止するように構成した撮影防止システムによれば、盗撮等を防止することが可能である。
【０００７】
しかしながら、本来、撮影を行うか否かは撮影環境や状況により個人のモラルにしたがい自主的判断でなされるべきことを考慮すると、前記撮影防止システムのように、撮影機能を一律に自動的に禁止するように構成するよりは、撮影環境等に応じた機能の段階的な最小限の規制とし、撮影機能等の停止規制を行う場合においても、規制理由が明示される等の撮影規制システムとすることが望ましい。
【０００８】
（目的）
本発明の目的は、以上の問題を解決するものであり、違法な盗撮を確実に防止するとともに、撮影環境に応じた段階的な撮影機能等の規制を可能とするカメラ機能付き携帯電話機の盗撮防止システム、カメラ機能付き携帯電話機及び盗撮防止方法を提供することにある。
【０００９】
【課題を解決するための手段】
本発明のカメラ機能付き携帯電話機の盗撮防止システムは、制御信号を送信する信号送信装置（信号発生装置）と、前記制御信号の受信により動作が制御されるカメラ機能付き携帯電話機とからなるカメラ機能付き携帯電話機の盗撮防止システムであって、前記信号送信装置は、規制レベルに応じた複数の異なる制御信号を送信可能であり、前記カメラ機能付き携帯電話機は、前記複数の異なる制御信号の受信により、それぞれの制御信号に応じて、当該制御信号が受信されるエリアでの撮影データの送信、撮影データの保存、カメラモジュールによる撮影及び撮影データの表示の機能が規制されることを特徴とする。また、前記信号送信装置は、複数の制御信号の選択設定又は時間的なプログラム設定が可能であることを特徴とする。更に、規制レベルに応じた前記制御信号により、撮影データの送信、撮影データの保存、カメラモジュールによる撮影及び撮影データの表示の順に機能を停止することを特徴とし、前記カメラ機能付き携帯電話機は、撮影データの表示画像に規制内容を合成することを特徴とする。
【００１０】
本発明のカメラ機能付き携帯電話機は、制御信号の受信時に撮影に関する機能が規制されるカメラ機能付き携帯電話機であって、カメラモジュールと、表示部と、制御信号の種類に応じて撮影データの送信、撮影データの保存、カメラモジュールによる撮影、撮影データの表示部への表示の何れかの機能が規制されることを特徴とする。前記制御信号の規制レベルにより、撮影データの送信、撮影データの保存、カメラモジュールによる撮影及び撮影データの表示の順に機能を停止することを特徴とする。また、規制内容のメッセージのデータを生成する処理部（例えば図２のＣＰＵ３）と、画像を合成するグラフィック処理部（例えば図２のグラフィックＬＳＩ８）と、を備え、撮影データの表示部への表示画像に規制内容を合成することを特徴とする。
【００１１】
本発明のカメラ機能付き携帯電話機の盗撮防止方法は、信号送信装置から送信される制御信号に基づいて動作が制御されるカメラ機能付き携帯電話機の盗撮防止方法であって、前記信号送信装置は、規制レベルに応じた複数の異なる制御信号を送信可能とし、前記カメラ機能付き携帯電話機は、前記複数の異なる制御信号の受信により、それぞれの制御信号に応じて、当該制御信号の受信により撮影データの送信、撮影データの保存、カメラモジュールによる撮影及び撮影データの表示の機能が規制されることを特徴とする。前記信号送信装置から送信される複数の制御信号は、時間的に切り換えて送信されることを特徴とし、規制レベルに応じた前記制御信号により、撮影データの送信、撮影データの保存、カメラモジュールによる撮影及び撮影データの表示の順に機能を停止することを特徴とする。更に、前記カメラ機能付き携帯電話機は、撮影データの表示画像に規制内容を合成することを特徴とする。
【００１２】
【発明の実施の形態】
次に、本発明のカメラ機能付き携帯電話機の盗撮防止システム、カメラ機能付き携帯電話機及び盗撮防止方法の実施の形態について図面を参照して詳細に説明する。
（第１の実施の形態）
（構成の説明）
図１は、本発明の実施の形態の外観を示す図であり、図１（ａ）はカメラ機能付き携帯電話機、図１（ｂ）は信号発生装置である。本実施の形態の折り畳み型携帯電話機は、キー操作部Ａと表示部Ｂとヒンジ部等に設けられ携帯電話機の筺体のフロント側及びリア側に向けて撮影可能な回転式のカメラ部Ｃとを備え、信号発生装置は、操作部Ｄと表示部Ｅと送信アンテナＦとを備える。
【００１３】
図２は、本発明のカメラ機能付き携帯電話機及び信号発生装置の構成例を示す図である。本実施の形態のカメラ機能付き携帯電話機は、図２（ａ）に示すように、アンテナ１、送受信部２、中央処理装置（以下、ＣＰＵという）３、電波センサー４、操作部５、記憶部６、カメラモジュール７、グラフィック処理部（グラフィックＬＳＩという）８及びＬＣＤ表示部（液晶表示装置）９を有する。各部の機能は以下のとおりである。
【００１４】
アンテナ１及び送受信部２は、携帯電話機と基地局との間の音声通信、電子メール等のデータ通信、カメラ機能により撮影した撮影データ、記憶部６に記憶した撮影データの送受信及びその通信制御を行う機能を有する。電波センサー４は、携帯電話機の周囲の特定の電波を受信し、例えば、ハイ（ＨＩＧＨ）又はロー（ＬＯＷ）レベルの信号、コード信号等、当該電波の有無、変調されたの制御信号等を検出して出力する機能を有する。
【００１５】
操作部５は、キー入力部等を備え、例えば電話番号入力、発呼、着呼、オンフック／オフフック、携帯電話機の各種メニューの選択、設定、表示の操作及びカメラモジュール７の設定、シャッター制御等の各種の操作機能を有する。記憶部６は、本携帯電話機の各種の機能を実現する所要の処理プログラムを格納するとともに、カメラモジュール７で撮影した映像データ、グラフィックＬＳＩ８から出力される映像データ等を格納する機能を有する。
【００１６】
ＣＰＵ３は、第１の機能として各部間の転送及び制御機能を有する。つまり、送受信部２、電波センサー４、操作部５、記憶部６、カメラモジュール７及びグラフィックＬＳＩ８等の各部間の信号の送受信を制御、例えば送受信部２との間の音声信号及び映像信号の処理、電波センサーからの制御信号及び表示用のメッセージの処理、映像信号カメラモジュール７からの映像信号の転送を制御する等の転送制御を行う機能を有する。また、ＣＰＵ３は、第２の機能として所定の表示用の映像データを作成しグラフィックＬＳＩ８に転送する機能を有する。例えば、ＬＣＤ表示部９に表示される映像データに対する付加的情報、画面の縁取り表示、各種アイコン表示、時刻表示等のほか、カメラモジュール７の使用に関する規制情報、規制理由等のメッセージ表示に関する画像データの作成機能を有する。
【００１７】
カメラモジュール７は、風景または人物といった被写体の撮影機能、シャッター操作時に取り込んだ映像をグラフィックＬＳＩ８等で扱うことのできる撮影データに変換し、該映像データをグラフィックＬＳＩ８、ＣＰＵ３に出力する機能を有する。
【００１８】
グラフィックＬＳＩ８は、ＣＰＵ３から入力した映像データ、カメラモジュール７で撮影された撮影データを入力し、何れかの選択又は両者の合成処理を行い、前記映像データ又は前記映像データと撮影データとの合成データをＬＣＤ表示部９に転送する機能を有する。ＬＣＤ表示部９は、グラフィックＬＳＩ８から入力した前記映像データ又は合成データを表示する機能を有する。
【００１９】
以上の構成でなる本実施の形態の携帯電話機は、撮影規制を伴う外部電波により送信されるオン／オフ信号又はコード信号等の制御信号によりカメラモジュール７の動作モードが切り換え設定される。例えば制御信号により以下のような動作モードの設定が可能である。
【００２０】
▲１▼制御信号を受信しない場合の通常モード：ＣＰＵ３はアイコン表示等の映像データを除いて、規制表示の映像データを生成することなく（ＬＣＤ表示部への規制表示なし）、カメラモジュール７からの撮像データのＬＣＤ表示部への画像表示、撮影、撮像データの保存及び保存した撮影データの送信の何れの機能をも使用可能な通常のカメラ機能付き携帯電話機として使用できる。
【００２１】
▲２▼撮影データの送信を禁止する制御信号を受信した場合（第１レベルの規制）の送信禁止モード：ＣＰＵ３は、アイコン表示等の映像データに加えて、送信禁止及び理由等を示す映像データを生成してグラフィックＬＳＩ８に転送し、ＬＣＤ表示部９にその旨を表示するとともに、カメラモジュール７からの撮像データのＬＣＤ画像表示、撮影及び撮像データの保存は何れも可能であるが、撮影データの送信は不可とする。
【００２２】
▲３▼撮影データの撮影を禁止する制御信号を受信した場合（第２レベルの規制）の撮影禁止モード：ＣＰＵ３は、アイコン表示等の映像データに加えて、撮影禁止を示す映像データを生成してグラフィックＬＳＩ８に転送し、ＬＣＤ表示部９にその旨を表示するとともに、カメラモジュール７からの撮像データのＬＣＤ表示部９への画像表示は可能であるが、撮影及び撮像データの保存、送信は不可とする。
【００２３】
▲４▼撮影データの表示を禁止する制御信号を受信した場合（第３レベルの規制）の表示禁止モード：ＣＰＵ３は、アイコン表示等の映像データのみを生成してグラフィックＬＳＩ８に転送し、ＬＣＤ表示部９に表示するとともに、カメラモジュール７からの撮像データのＬＣＤ表示部９への画像表示は不可とする。カメラからの映像がＬＣＤ表示部への表示は行われなくなるため、この場合、実質上、使用者は所望の画像を撮れなくなる。
【００２４】
一方、撮影等の規制が必要な場所、地域、被写体等に設置される信号発生装置は、カメラ機能付き携帯電話機のカメラモジュール７の前述の動作モードを設定する各種の制御信号を送信する機能を有し、図２（ｂ）に示すように、ＣＰＵ１１、キー操作部１２、時計部１３、送信部１４及びアンテナ１５を備える。ＣＰＵ１１は、時計部１３からの時刻情報及びキー操作部１２からの指定により、前記動作モードに対応する各種の制御信号を生成し送信部１４に転送し、送信部１４を制御する機能を有する。送信部１４は、前記制御信号を入力し、例えば前記制御信号で変調された特定周波数の電波を送信する機能を有する。信号発生装置は、所望の場所等への設置に当たりキー操作部１２により出力する電波の制御信号の設定を行うことができ、また、カメラ機能付き携帯電話機に送信し表示する規制内容、規制理由等のメッセージの設定、入力を可能とする。
（動作の説明）
以下、本実施の形態の動作についてフローチャートを参照して説明する。
図３は、本実施の形態のフローチャートを示す図である。本実施の形態のフローチャートの動作は、所定の短時間の周期で処理を繰り返す。
本実施の形態のカメラ機能付き携帯電話機が信号送信装置からの電波が到来しない環境で使用した場合、電波センサー４が制御信号を検出しないので通常モードで動作する（ｓ１、ＮＯ）。
【００２５】
具体的には、ＣＰＵ３がグラフィックＬＳＩ８に対し、ＬＣＤ表示部９に表示するアイコン等の映像データやスーパーインポーズする映像データを生成して送信すると共に、カメラモジュール７に対し撮影データをグラフィックＬＳＩ８に送信するように指示し、グラフィックＬＳＩ８に前記映像データと撮影データを合成するように指示する制御データを送信する。前記制御データによりカメラモジュール７は、風景あるいは人物映像を取り込み、変換された映像データをグラフィックＬＳＩ８に送信する。グラフィックＬＳＩ８は前記撮影データを受信して、前記映像データと合成し、合成された映像データをＬＣＤ表示部９に送信する。ＬＣＤ表示部９は合成された映像データを表示する。
【００２６】
通常モードでは、操作部５から撮影を指示するシャッター操作の信号が入力されると、ＣＰＵ３は、その時点でカメラモジュール７から出力されている撮影データ、又はグラフィックＬＳＩ８の出力を取り込み、記憶部６に記憶する。また、操作部５から再生の操作や送信の操作（送信操作）により、記憶部６から撮影データを読み出しＬＣＤ表示部９に再度表示させたり、送受信部２を介して、通信相手に送信する等の動作が可能である。
【００２７】
カメラ機能付き携帯電話機が、信号発生装置の電波が受信される領域に移動すると、電波センサー４は当該電波を受信し制御信号を検出すると（ｓ１、ＹＥＳ）、ステップｓ３に移行する。ここで制御信号が画像データの送信を禁止する送信禁止信号の場合（ｓ１、ＹＥＳ）、ＣＰＵ３は、携帯電話機の機能の内、送信のみを禁止する送信禁止モードの制御を行い、操作部５からの操作による撮影、保存及び表示機能を制御するが、送信操作に対してのみ制御を行わず（ｓ４）、グラフィックＬＳＩ８に対し「当該エリアでの撮影データは送信できない」旨の表示画像データを生成して出力し、グラフィックＬＳＩ８は、当該メッセージを撮像データ等に合成してＬＣＤ表示部９に出力し、ＬＣＤ表示部９は前記メッセージを表示する（ｓ５）。
【００２８】
また、ステップ３で、制御信号が送信禁止信号ではない場合（ｓ３、ＮＯ）はステップｓ６に移行する。ここで制御信号が撮影データの保存を禁止する保存禁止信号の場合（ｓ６、ＹＥＳ）、ＣＰＵ３は、操作部５からの操作による撮影及び表示機能を制御するが、保存、送信操作に対してのみ制御を行わず（ｓ７）、グラフィックＬＳＩ８に対して、「当該エリアでの撮影データは保存できない」旨の表示画像データを生成して出力し、グラフィックＬＳＩ８は、当該メッセージを撮像データに合成してＬＣＤ表示部９に出力し、ＬＣＤ表示部９は前記メッセージを表示する（ｓ８）。
【００２９】
また、ステップｓ６で、制御信号が保存禁止信号ではない場合（ｓ６、ＮＯ）はステップｓ９に移行する。ここで制御信号が撮影を禁止する撮影禁止信号の場合（ｓ９、ＹＥＳ）、ＣＰＵ３は、操作部５からの操作による表示機能を制御するが、撮影、保存、送信操作に対して制御を行わず（ｓ１０）、グラフィックＬＳＩ８に対して、「当該エリアでは撮影できない」旨の表示画像データを生成して出力し、グラフィックＬＳＩ８は当該メッセージを撮像データに合成してＬＣＤ表示部９に出力し、ＬＣＤ表示部９は前記メッセージを表示する（ｓ１１）。
【００３０】
また、ステップｓ９で、制御信号が映像禁止信号ではない場合（ｓ９、ＮＯ）はステップｓ１２に移行する。ここで制御信号が表示を禁止する表示禁止信号の場合（ｓ１２、ＹＥＳ）、ＣＰＵ３は、操作部５からの操作による表示操作に対して制御を行わず（ｓ１３）、グラフィックＬＳＩ８に対して、表示の停止の制御を行い、グラフィックＬＳＩ８はＬＣＤ表示部９の表示を停止する（ｓ１３）。なお、ここでＣＰＵ３はグラフィックＬＳＩ８に対し、カメラモジュール７からの映像データをＣＰＵ３からの映像データとは合成せず、ＣＰＵ３からの映像データのみをＬＣＤ表示部９に送信するように制御することができる。この映像データを受信したＬＣＤ表示部９は、「映像を表示できない」旨表示するように構成することができる。
【００３１】
図４は、本実施の形態の機能を一覧表示した図である。各モードの設定は、信号発生装置の設置場所等に応じて適宜に設定可能である。信号発生装置から送信される規制レベルの高さに応じた制御信号の種類によりカメラ機能付き携帯電話機の撮影に関連するそれぞれ機能の停止（×印）又は動作（○印）が決定される。
【００３２】
以上のように本実施の形態では、信号発生装置に設定した撮影データに関する規制レベルに応じて、当該信号発生装置の設置による規制エリアにおけるカメラ機能付き携帯電話機の使用可能な機能に規制レベルに応じた段階的な制約を生じさせることが可能である。つまり、送信禁止エリアでは、映像表示により撮影及び保存を可能とするが、撮影データの送信が禁止され、保存禁止エリアでは、撮影、表示が可能であるが保存、送信が禁止され、撮影禁止エリアでは、撮影、保存及び送信が禁止され、表示禁止エリアでは、映像の表示自体が禁止され所望の撮影ができない。
【００３３】
（第２の実施の形態）
第１の実施の形態では、カメラ機能付き携帯電話機の主要な機能を停止させるように構成したものであるが、より緩やかな規制から全機能を停止させるような規制を含むように構成することも可能である。
【００３４】
図５は、第２の実施の形態を示す図である。カメラ機能付き携帯電話機は、図２に示す機能ブロックで構成することが可能である。同図に示すように、本実施の形態では、一番低い規制レベルとして、ＬＣＤ表示部９に撮影、送信等を差し控えるよう促す表示を行う忠告モードを追加するとともに、最も規制レベルの高い電源をオフとする電源オフモードを追加した例である。つまり、忠告モードでは、撮影、送信等を個人の撮影マナーに委ねるようにしたものであり、カメラ機能付き携帯電話機の全機能を使用可能とする。また、電源オフモードは、病院等の携帯電話機の使用自体に危険な弊害を生じうるエリアに設定される。
【００３５】
本実施の形態の忠告モードでは、ＣＰＵ３はアイコン表示等の映像データに加えて、撮影を控えるよう忠告する内容の映像データを生成してグラフィックＬＳＩ８に転送し、ＬＣＤ表示部９にその旨を表示するとともに、カメラモジュール７からの撮像データのＬＣＤ表示部への画像表示、撮影、撮像データの保存及び該撮影データの送信は、何れもが可能とする。また、電源オフモードでは、ＣＰＵ３はカメラモジュール７、グラフィックＬＳＩ８及びＬＣＤ表示部９等の電源をオフ状態に制御し、送受信部２、電波センサー４等は受信可能な状態に制御する。
【００３６】
図６は、第２の実施の形態の動作のフローチャートを示す図である。制御信号の検出のステップｓ１でＹＥＳの場合に移行する忠告モードの判断のステップｓ１４と、その忠告信号の受信時の表示機能のステップｓ１５及び「撮影を控えてほしい」旨の表示処理ステップｓ１６を介在させ、更にＬＣＤ表示の停止のステップｓ１２でＮＯの場合に移行する電源オフモードの判断ステップｓ１７と、電源オフ機能の処理ステップｓ１８を介在させている。
（他の実施の形態）
以上の実施の形態では、信号発生装置がキー入力部１２で設定した何れかの制御信号を出力するように構成した例を説明したが、本発明は制御信号の時間的なプログラム制御を可能に構成することができる。つまり、信号発生装置のキー操作部１２の操作により、複数の制御信号の経時的な切り換えを設定することにより、ＣＰＵ１１は、時計部１３からの時間情報により時間帯別、日別、周別等で制御信号を選択、切り換えて出力し、送信部１４から順次異なる電波を送信するように構成する。カメラ機能付き携帯電話機のＣＰＵ３はこれを検出して、その動作モードを時間帯別、日単位別、週単位別等で切り換わるように構成することができる。
【００３７】
また、信号発生装置からの電波を受信するためのカメラ機能付き携帯電話機の受信手段として、電波センサーを使用する例を示したが、このような専用の送受信機を使用することなく、信号発生装置とカメラ機能付き携帯電話機間の通信をブルーツース（ｂｌｕｅ  ｔｏｏｔｈ）により構成することが可能である。更に、複数の制御信号を変調して送信する等の構成に代えて複数の周波数の電波を選択して送信することで複数の制御信号とすることができる。
【００３８】
また以上の実施の形態では、ＬＣＤ表示部９への撮影データの表示又は非表示は、ＣＰＵ３からの制御データによりグラフィックＬＳＩ８からの出力を制御するように構成する例を示したが、グラフィックＬＳＩ８はカメラモジュール７にクロック信号を供給することで映像データを取り込むように構成し、このクロック信号のカメラモジュール７への送信／非送信により映像データをオン／オフ制御を行うように構成することができる。つまり、グラフィックＬＳＩ８は、前記クロックを停止することでカメラモジュール７からの映像データをＬＣＤ表示部９に表示させないように制御するように構成することができる。
なお、前記実施の形態では、携帯電話機の送受信用のアンテナと独立した電波センサーを使用して盗撮防止を実現しているが、これらは実装スペースの関係から共用可能であることは云うまでもない。
【００３９】
【発明の効果】
本発明によれば、撮影機能を一律に自動的に禁止することなく、撮影環境等に応じたレベルの撮影機能等の段階的な最小限の規制を可能とし、違法な盗撮をも確実に防止することが可能となる。つまり、撮影、送信等が好ましくない場所では撮影等を禁止する規制とし、撮影が禁止される例えば電車内、階段付近、トイレなどといった盗撮が行われそうな場所では、電源オフになる等の規制とするという段階的な規制を可能とする。
【００４０】
更に、規制エリアでは、規制理由が表示部に明示されるように構成することにより、撮影不可能となることによる使用者の混乱を防止することが可能である。
【００４１】
また、信号発生装置から出力される制御信号を時間帯別、日別、周別等で切り替わるようにプログラム可能とすることにより、状況変化に適合する規制レベルに自動設定することが可能である。
【図面の簡単な説明】
【図１】本発明のカメラ機能付き携帯電話機及び信号発生装置の外観を示す図である。
【図２】本発明のカメラ機能付き携帯電話機及び信号発生装置の第１の実施の形態の構成例を示す図である。
【図３】第１の実施の形態のフローチャートを示す図である。
【図４】第１の実施の形態の機能を一覧表示した図である。
【図５】本発明の第２の実施の形態を示す図である。
【図６】第２の実施の形態の動作のフローチャートを示す図である。
【符号の説明】
１、１５  アンテナ
２  送受信部
３、１１  ＣＰＵ（中央処理装置）
４  電波センサー
５  操作部
６  記憶部
７  カメラモジュール
８  グラフィックＬＳＩ
９  ＬＣＤ表示部（液晶表示装置）
１２  キー操作部
１３  時計部
１４  送信部
【図１】
2004153324.tif 000003
【図２】
2004153324.tif 000004
【図３】
2004153324.tif 000005
【図４】
2004153324.tif 000006
【図５】
2004153324.tif 000007
【図６】
2004153324.tif 000008